(57)【特許請求の範囲】
【請求項１】
室内の壁面に対して被支持体を支持する壁掛け構造であって、
前記被支持体が固定される取付板と、前記取付板を壁面に対して移動自在に支持するスライド支持部材とを備え、更に、前記スライド支持部材は軌道レール及びこの軌道レールに沿って運動自在な移動ブロックから構成され、
前記スライド支持部材の軌道レールは、断面略矩形状に形成されると共に両側面にボール転走面が形成される一方、前記移動ブロックは、軌道レールの一部が遊嵌する案内溝を有してサドル状に形成されると共に、多数のボールを介して前記軌道レールに組み付けられる一方、
前記壁面には前記移動ブロックの一部が嵌合する収容溝のみを形成する一方、この移動ブロックと運動自在に組付けられた前記軌道レールは壁面に埋没することなく、その表面を移動することを特徴とする壁掛け構造。
【請求項２】
前記壁面にはベース部材が固定され、かかるベース部材には前記収容溝が形成される一方、前記移動ブロックと運動自在に組付けられた軌道レールはベース部材に埋没することなく、その表面を移動することを特徴とする請求項１記載の壁掛け構造。
【請求項３】
室内の壁面に対して被支持体を支持する壁掛け構造であって、
前記被支持体が固定される取付板と、前記取付板を壁面に対して移動自在に支持するスライド支持部材とを備え、更に、前記スライド支持部材は軌道レール及びこの軌道レールに沿って運動自在な移動ブロックから構成され、
前記スライド支持部材の軌道レールは、断面略矩形状に形成されると共に両側面にボール転走面が形成される一方、前記移動ブロックは、軌道レールの一部が遊嵌する案内溝を有してサドル状に形成されると共に、多数のボールを介して前記軌道レールに組み付けられる一方、
前記壁面には被支持体の移動方向に沿って延びる収容溝が形成され、前記スライド支持部材はこの収容溝内に埋没し、
前記取付板は接続アームによってスライド支持部材の軌道レール又は移動ブロックと結合される一方、前記収容溝の開口部には該収容溝内に配設された前記スライド支持部材を覆い隠すための化粧幕が設けられ、
前記接続アームには、前記化粧幕の接続部位と前記スライド支持部材との結合部位の間に鍔状の噛み込み防止板が設けられていることを特徴とする壁掛け構造。
【請求項４】
前記化粧幕には収容溝の長手方向に沿った所定の間隔毎にスリットが形成されていることを特徴とする請求項３記載の壁掛け構造。
【請求項５】
前記軌道レールが前記収容溝内に固定される一方、この軌道レールに沿って運動する移動ブロックに対して前記接続アームを介して前記取付板が固定されていることを特徴とする請求項３記載の壁掛け構造。
【請求項６】
前記移動ブロックが前記収容溝内に固定される一方、この移動ブロックと運動自在に組付けられた前記軌道レールに対して前記接続アームを介して前記取付板が固定されていることを特徴とする請求項３記載の壁掛け構造。
【発明の詳細な説明】
【技術分野】
【０００１】  本発明は、住宅や事務所等の室内において、その壁面にテレビ、スピーカ、絵画、本棚といった電化製品や家具等を固定し、状況に応じ前記壁面上を移動させることが可能な壁掛け構造に関するものである。
【背景技術】
【０００２】
【特許文献１】特開２００１−２５２１４０  従来、家具や電化製品等の物品（以下、「被支持体」という）を壁面に取り付け、かかる被支持体を壁面上で移動自在に保持する壁掛け構造としては、特開２００１−２５２１４０号公報に開示されるものが知られている。この構造では、壁面に被支持体を収容するための凹所が形成され、被支持体は壁面から突出することなく、前記凹所内に収容されている。また、凹所内において被支持体の上面及び底面と対向する壁面には、被支持体の移動方向に沿ってレールが付設されており、被支持体の上面及び底面には前記レールを受け入れる案内溝が形成されている。これにより、被支持体が凹所内を壁面に沿って自在に移動することが可能となっている。
【発明の開示】
【発明が解決しようとする課題】
【０００３】  しかし、この従来の壁掛け構造では前記壁面に対して被支持体のスライド空間を考慮した凹所を設けなくてはならず、壁面を被支持体の移動するストローク距離も考慮した上で削り取る必要があり、施工が大変面倒である。また、壁面に形成する凹所は被支持体のストローク距離に対応しており、その凹所の全長にわたって前記レールを付設しなければならないので、必然的に凹所内のレールが露見してしまい、室内装飾の観点からすれば見栄えが悪くなってしまうという問題点があった。また、被支持体には前記レールを受け入れる溝を形成しなくてはならず、被支持体の筐体の構造が自ずと制限されてしまうといった不都合もあった。
【課題を解決するための手段】
【０００４】  本発明はこのような問題点に鑑みなされたものであり、その目的とするところは、室内の壁面上において電化製品や家具等の被支持体を任意の位置へ自在に移動させることが可能であり、しかも壁面上の見栄えを損なうことのない壁掛け構造を提供することにある。【０００５】  このような目的を達成する本発明は、室内の壁面に対して被支持体を支持する壁掛け構造であって、前記被支持体が固定される取付板と、前記取付板を壁面に対して移動自在に支持するスライド支持部材とから構成されており、更に、前記スライド支持部材が軌道レール及びこの軌道レールに沿って運動自在な移動ブロックを有している。【０００６】  このような壁掛け構造において、前記スライド支持部材における軌道レールの軸数や移動ブロックの個数は、壁面に設置する被取付体の重量及びその寸法に応じて適宜選定することが可能である。もっとも、壁面上における被支持体の姿勢の安定を考慮するのであれば、軌道レールの軸数は２軸以上とし、各軌道レールに組付けられる移動ブロックを２個以上とするのが良い。【０００７】  また、前記スライド支持部材は相対的に移動自在な軌道レール及び移動ブロックから構成されるが、いずれを取付板に結合しても、あるいは壁面に固定しても差し支えない。但し、壁面における被支持体の移動距離を大きく設定したいのであれば、軌道レールを壁面に固定し、取付板に固定した移動ブロックが前記軌道レールに沿って移動するように構成するのが好ましい。その反面、軌道レールを壁面に固定し、移動ブロックを取付板に固定した場合には、被支持体が取付板と共に軌道レールの端部付近に移動すると、軌道レールの他方の端部が露見してしまい、室内装飾といった観点からは見栄えが悪いものとなってしまう。従って、美観を重視するのであれば、移動ブロックを壁面に固定し、軌道レールを取付板に固定するのが好ましい。【０００８】  更に、前記スライド支持部材としては、被支持体からスライド支持部材に作用する荷重方向等を考慮して、軌道レールと移動ブロックが組み合わされた既存のリニアガイド装置の中から適宜選定することが可能である。もっとも、壁面に取り付けた被支持体が地震等の振動によって落下すると危険なので、前記スライド部材としては、移動ブロックが軌道レールの長手方向と垂直な方向に作用するあらゆる荷重を負荷するタイプのものであることが好ましい。例えば、軌道レールは断面略矩形状に形成されてその両側面にはボールの転走溝を有し、前記移動ブロックは軌道レールの一部が遊嵌する案内溝を有してサドル状に形成され、これら軌道レールと移動ブロックとが多数のボールを介して組付けられたものが考えられる。【０００９】  前記軌道レールを壁面あるいは取付板に配設する際には、その長手方向をいずれの方向へ合致させても差し支えない。但し、前記軌道レールの長手方向を水平方向に合致させないのであれば、該軌道レールが前記案内部材から抜け落ちるのを防止するため、また、被支持体を壁面上の任意の位置に係止するため、例えば、軌道レール上で移動ブロックを係止するロック機構を設ける必要がある。【００１０】  また、被支持体の壁面からの突出量を可及的に減じ、しかも見栄えを良好なものにする���いった観点からすれば、前記壁面には被支持体の移動方向に沿って延びる収容溝を形成し、移動ブロック及び軌道レールから構成される前記スライド支持部材の全体をこの収容溝内に固定するのが好ましい。【００１１】  もっとも、スライド支持部材の全体を収容溝内に格納した場合、壁面に固定された移動ブロックに対して軌道レールがストロークする構成だと、軌道レールのストローク範囲の全長にわたって収容溝を形成する必要があり、かかる収容溝の全長が軌道レールの全長よりも長くならざるを得ない。このため、壁面に対する収容溝の加工を最小限に抑えるといった観点からすれば、移動ブロックの一部を収容溝に嵌合させ、かかる移動ブロックに組付けられた軌道レールが壁面に埋没することなく、該壁面の表面に沿って移動するように構成するのが好ましい。
【図面の簡単な説明】
【００１２】
【図１】本発明の壁掛け構造の第１の実施形態を示す正面図である。
【図２】本発明の壁掛け構造の第１の実施形態を示す側面図である。
【図３】スライド支持部材として使用可能なリニアガイド装置の一例を示す正面断面図である。
【図４】図３に示すリニアガイド装置の斜視図である。
【図５】第１の実施形態におけるスライド支持部材と取付板との結合状態を示す拡大図である。
【図６】収容溝の開口部に化粧幕を設けた例を示す図である。
【図７】本発明の壁掛け構造の第２の実施形態を示す正面図である。
【図８】本発明の壁掛け構造の第２の実施形態を示す側面図である。
【図９】本発明の壁掛け構造の第３の実施形態を示す側面図である。
【符号の説明】
【００１３】  １…被支持体、３…スライド支持部材、１０…取付板、１１…軌道レール、１１ａ…噛み込み防止板、２０…移動ブロック、３０…壁面、３１…収容溝、３２…化粧幕
【発明を実施するための最良の形態】
【００１４】  以下、添付図面を参照しながら本発明の壁掛け構造を詳細に説明する。【００１５】  図１及び図２は本発明の壁掛け構造の第１の実施形態を示すものである。この壁掛け構造は、例えば被支持体１としての薄型大画面テレビを応接間などの壁面３０に取り付けるためのものであり、前記被支持体１が固定される取付板１０と、この取付板１０を壁面３０に対して移動自在に支持するスライド支持部材３とから構成されている。【００１６】  前記取付板１０は平板状に形成され、その表面には前記被支持体１をその背面から支えるための固定面１０ａを有し、ビスやボルトなどの固定手段によって被支持体１が固定されている。例えば被支持体１が液晶大画面テレビであり、これを壁面３０に固定するための専用ブラケットが付属している場合には、その専用ブラケットを取付板１０の固定面１０ａにビス等で固定し、その後に被支持体１を専用ブラケットに装着すれば良い。【００１７】  また、前記取付板１０の背面には前記スライド支持部材３と結合される接続アーム１０ｂが突設されており、この接続アーム１０ｂを介して前記取付板１０はスライド支持部材３に保持されている。この接続アーム１０ｂそれ自体は取付板１０の縁部を折り曲げて形成しても良いし、溶接、ねじ止めなどの固定方法によって取付板１０に対して強固に固定しても良い。【００１８】  一方、前記スライド支持部材３は相対的に移動自在な軌道レール１１及び移動ブロック２０の組み合わせからなり、図１及び図２に示す例では２組のスライド支持部材３を用いて前記取付板１０を壁面３０に保持している。また、この例では前記軌道レール１１を取付板１０の接続アーム１０ｂに固定する一方、移動ブロック２０を壁面３０に固定しており、前記軌道レール１１は長手方向を水平方向に合致させて配設されている。【００１９】  図３及び図４は前記スライド支持部材３として利用可能なリニアガイド装置の一例を示すものである。このリニアガイド装置は、長手方向に沿ってボールの転走溝１２が形成された直線状の軌道レール１１と、転動体としての多数のボール１３を介してこの軌道レール１１に組付けられると共に内部に該ボール１３の無限循環路を備えた移動ブロック２０とから構成されており、かかるボール１３の循環に伴って前記移動ブロック２０が軌道レール１１に沿って自在に移動できるように構成されている。【００２０】  前記軌道レール１１は長手方向に垂直な断面が略矩形状に形成されており、両側面には長手方向に沿ってボール転走溝１２が１条ずつ形成されている。また、この軌道レール１１には長手方向に適宜間隔をおいて取付孔１４が貫通形成されており、この取付孔１４挿通した固定ボルトを取付板１０の接続アーム１０ｂに締結することにより、軌道レール１１と前記接続アーム１０ｂが強固に固定されるようになっている。【００２１】  また、前記移動ブロック２０は、軌道レール１１のボール転走溝１２と対向するボール転走溝２４が形成された金属製のブロック本体２１と、このブロック本体２１の前後両端面に夫々固定される合成樹脂製のエンドプレート２２とから構成されている。前記ブロック本体２１は、軌道レール１１の上面と対向する基部２１ａと、軌道レール１１の��側面に対向すると共に前記基部２１ａから延設された一対のスカート部２１ｂとから構成されており、これら基部２１ａとスカート部２１ｂによって区画された案内溝２３を有してサドル状に形成されている。【００２２】  各スカート部２１ｂの内側面にはブロック本体２１側のボール転走溝２４が形成され、軌道レール１１のボール転走溝１２と対向することで、ボール１３が荷重を負荷しながら転走する負荷通路を構成している。また、ブロック本体２１の各スカート部２１ｂにはボール転走溝２４と平行にボール戻し孔２５が形成されており、ボール１３はこのボール戻し孔２５の内部を無負荷状態で転走するようになっている。【００２３】  一方、各エンドプレート２２には前記負荷通路とボール戻し孔２５とを連通連結するＵ字形の方向転換路が形成されており、ブロック本体２１の前後両端面に対して一対のエンドプレート２２を固定することにより、ボール１３が負荷通路→方向転換路→ボール戻し孔→方向転換路→負荷通路と循環する無限循環路が形成される。このエンドプレート２２は取付ボルト２６によってブロック本体２１に固定される。【００２４】  前記軌道レール１１はその上半体がブロック本体２１の案内溝２３に遊嵌するようにして、前記移動ブロック２０に組付けられており、ボール１３が軌道レール１１のボール転走溝１２と移動ブロック２０のボール転走溝２４との間で荷重を負荷しながら転走する。軌道レール１１のボール転走溝１２及び移動ブロック２０のボール転走溝２４はその断面がゴシックアーチ状に形成されており、ボール１３は各ボール転走溝１２，２４に対して２点で接触している。このため、軌道レール１１の長手方向に関しては、移動ブロック２０が軌道レール１１に沿って連続的に移動することが可能となっているが、かかる移動方向と垂直な方向に関しては、移動ブロック２０と軌道レール１１の分離が防止されている。【００２５】  前述のように、この例では移動ブロック２０を壁面３０に固定し、軌道レール１１を取付板１０に固定しているから、移動ブロック２０に対して軌道レール１１が自在に移動することになる。すなわち、前記取付板１０はスライド支持部材３によって壁面３０上に保持され、軌道レール１１と共にその長手方向（水平方向）へ自在に移動することが可能となっている。また、軌道レール１１と移動ブロック２０の分離が防止されていることから、地震等の振動が作用しても、スライド支持部材３そのものが破損しない限り、取付板１０が壁面３０から脱落することがないようになっている。【００２６】  また、軌道レール１１が移動ブロック２０から抜け落ちるのを防止するため、かかる軌道レール１１の両端にはストッパ１５が固定されている。このストッパ１５は、軌道レール１１の上面に対応したプレート部１５ａと、このプレート部から延びる一対の脚部１５ｂ、１５ｂとを有し、略Ｕ字状に形成されている。各脚部１５ｂの先端は内側に屈曲しており、軌道レール１１の両側面に形成されたボール転走溝１２に入り込んでいる。また、前記プレート部１５ａにはタップ孔１６が貫通形成されており、ストッパ１５を固定するための止めねじ（図示せず）が螺合するようになっている。前記タップ孔１６に止めねじを���合させ、かかる止めねじの先端を軌道レール１１の上面に押しつけると、ストッパ１５の全体が軌道レール１１に対して引き揚げられて、前記脚部１５ｂが軌道レール１１を抱え込むようにしてボール転走溝１２に係止され、ストッパ１５が軌道レール１１に対して固定されるようになっている。これにより、軌道レール１１の端部が壁面３０に固定された移動ブロック２０に到達すると、前記ストッパ１５が移動ブロック２０に突き当たることで軌道レール１１の移動が係止され、その方向に関しての前記取付板１０の移動がそれ以上は禁止されるようになっている。【００２７】  図１及び図２に示す例では、各軌道レール１１に対して２個の移動ブロック２０が組付けられているが、取付板１０に装着する被支持体１の重量や壁面３０の耐荷重などに応じてその個数を適宜増減することができる。もっとも、移動ブロック２０に対する軌道レール１１のストローク、すなわち壁面３０に対する取付板１０の可動範囲を大きく設定したいのであれば、各軌道レール１１に対して移動ブロック２０は１個であることが好ましい。【００２８】  前記移動ブロック２０は壁面３０に直接固定しても構わないが、壁面３０と取付板１０との間にスライド支持部材３が存在することになるので、かかる取付板１０の壁面３０からの突出量が大きくなってしまい、取付板１０に固定するテレビ等の被支持体１は更に壁面３０から突出してしまい、室内の美観を損ねてしまう懸念がある。このため、図２に示すように、壁面３０に収容溝３１を設け、スライド支持部材３をこの収容溝３１内に埋没させるように固定するのが良い。【００２９】  前記収容溝３１は、その内部にスライド支持部材３を固定した際に、前記軌道レール１１が壁面３０から突出しない深さに形成され、その水平方向の長さは移動ブロック２０に対する軌道レール１１のストローク範囲よりも僅かに大きく形成されている。スライド支持部材３の移動ブロック２０はこの収容溝３１の内部に固定され、軌道レール１１は収容溝３１の内部で水平方向へストロークする。また、取付板１０は前記接続アーム１０ｂによって収容溝３１内の軌道レール１１と結合されている。【００３０】  これにより、取付板１０は壁面３０に近接して設けられるので、かかる取付板１０に固定される被支持体１が壁面３０から突出する量を抑え、室内の美観を保つことができる。【００３１】  一方、前記収容溝３１は軌道レールを収容している都合上、かかる収容溝の全長は軌道レールのストローク範囲よりも長く、図１に示すように、取付板が可動範囲の一方の端に位置している状態では、壁面に形成された収容溝が取付板によって隠されることなく露出してしまい、室内の美観上は余りこのましいものではない。また、収容溝内に埃が溜まる等の弊害もある。【００３２】  このため、美観を保つという観点からすれば、前記収容溝３１を覆う化粧幕３２を設け、取付板１０と軌道レール１１を結合する接続アーム１０ｂが前記化粧膜３２を押し退けながら移動するように構成すると良い。この化粧幕３２は収容溝３１の長手方向全域にわたって設けられており、図５に示すように、収容溝３１の開口縁の両側から開口幅の約半分相当の領域を覆うように設けられている。接続アー���１０ｂが２枚の化粧幕３２の合わせ目を無理なく移動することができるよう、かかる化粧幕３２は布やゴム等の可撓性のある材質で形成され、また、壁面３０に同化させるために該壁面３０と同一色であるのが好ましい。【００３３】  一方、２枚の化粧幕３２を収容溝の幅方向の中央で合わせるのではなく、図６に示すように、１枚の化粧幕３３を収容溝３１の上端縁から垂れ下げるように設けても良い。この場合、接続アーム１０ｂが化粧幕３３を押し退けて移動し易いよう、化粧幕３３にはその長手方向に所定の間隔をおいてスリット３３ａを設け、化粧幕３３がスリット３３ａによって区切られた１区画毎に接続アーム１０ｂに押し退けられて撓むように構成すると良い。また、このようなスリット３３ａを設けてあれば、接続アーム１０ｂと接している化粧幕３３だけが押し退けられ、それ以外の領域の化粧幕３３には影響が及ばないので、取付板１０によって覆い隠されない部分の化粧幕３３が接続アーム１１ａの存在によって撓むことはなく、化粧幕３３によって収容溝３１を隠して美観を整えるという当初の目的を達成することができるものである。また、図５に示すように、収容溝３１の幅方向の両側に化粧幕３２を設けて、これらの先端を収容溝３１の中央で合わせた場合、経時的な使用によって下側の化粧幕３２の先端が下方へ垂れ下がってしまうことが想定されるが、１枚の化粧幕３３を収容溝３１の上端から垂らすように構成すれば、そのような不具合が発生することはない。【００３４】  また、接続アーム１０ｂによって押し退けられた化粧幕３２はその先端が取付板１０、あるいは軌道レール１１の側へ捲れることになるが、仮に軌道レール１１側へ捲れてしまった場合には、軌道レール１１と移動ブロック２０との間に化粧幕３２が噛み込まれてしまうことも有り得る。そこで、化粧幕３２の先端が軌道レール１１と移動ブロック２０の間に噛み込まれてしまうのを防止するため、前記接続アーム１０ｂには鍔状の噛み込み防止板１１ａが設けられている。図５に示すように、この噛み込み防止板１１ａは接続アーム１０ｂ上に設けられており、かかる接続アーム１０ｂに対して化粧幕３２が接触する部位と前記軌道レール１１との結合部位の間に位置している。これにより、接続アーム１０ｂによって押し退けられた化粧幕３２の先端が軌道レール１１側へ捲れたとしても、かかる化粧幕３２の先端は噛み込み防止板１１ａによって係止さるので、化粧幕３２が軌道レール１１と移動ブロック２０の間に噛み込まれてしまうトラブルを防止することができる。【００３５】  このように図１及び図２に示した壁掛け構造によれば、壁面３０の見栄えを損なうことなく被支持体１を壁面３０上にて水平方向へ移動させ、任意の位置に設定することが可能となる。【００３６】  その反面、図１及び図２に示した壁掛け構造では、壁面にスライド支持部材の全体を格納する収容溝を形成せねばならず、かかかる収容溝を軌道レールのストローク範囲に応じて形成しなければならないので、施工が大変面倒である。【００３７】  図７及び図８はその点に考慮した第２の実施形態を示すものである。【００３８】  取付体１０やスライド支持装置３の構成は前述の第１の実施形態と同一であるが、スライ���支持部材３の全体を壁面３０の収容溝３１に格納するのではなく、移動ブロック２０の基部２１ａのみを壁面３０に埋め込むようにした。移動ブロック２０の基部２１ａを壁面に埋め込む深さとしては、この移動ブロック２０に組付けられた軌道レール１１と壁面３０との間に隙間が形成され、かかる軌道レール１１が移動ブロック２０に案内されて壁面３０上を自在に移動できるものであれば良い。【００３９】  このような構成によれば、軌道レール１１は被支持体１の裏面からはみ出さない程度の長さに形成されており、しかも軌道レール１１は移動ブロック２０から抜け出ることはなく、しかも壁面３０には移動ブロック２０を嵌合させるサイズの収容溝のみ形成しているので、被支持体１が固定された取付板１０を水平方向の任意の位置に移動させとしても、軌道レール１１及び移動ブロック２０から構成されるスライド支持部材３が外見上は認識されることがなく、また壁面３０に何ら施工の痕跡が認識されることはない。すなわち、壁面３０の美観を何ら損なうことなく、被支持体１を壁面３０に対して移動自在に保持することができるものである。【００４０】  また、この第２の実施形態によれば、壁面３０に対して軌道レール１１のストローク長と同じ長さの収容溝３１を形成する必要がなく、また、かかる収容溝３１を隠蔽するための化粧幕３２を設ける必要もないので、壁面３０に対する施工の労力及び時間を大幅に削減することが可能である。【００４１】  図９は本発明を適用した壁掛け構造の第３の実施形態を示すものである。【００４２】  図１及び図７に示した例ではいずれもスライド支持部材３を直接壁面３０に固定していたが、実際に室内の壁面３０に収容溝３１を後から施工するのは大変な作業であり、しかもスライド支持部材３を２基使用する場合には、２軸の軌道レール１１が互いに平行となるように移動ブロック２０を壁面３０に固定する必要があり、かかる調整固定作業を施工現場で行うのは大変面倒である。【００４３】  従って、かかる観点からすれば、図９に示すように、スライド支持部材３の移動ブロック２０が固定されるベース部材４を設け、このベース部材４を壁面３０に固定するのが好ましい。ベース部材４には、図８に示した例と同様に、移動ブロック２０の基部２１ａのみを埋め込み、この移動ブロック２０に案内される軌道レール１１はベース部材４の表面に沿って移動できるようにしておく。かかるベース部材４は移動ブロック２０の取付精度をある程度確保できるものであれば、合成樹脂製又は金属製のプレートであって差し支えなく、移動ブロック２０の基部２１ａを嵌合させるための収容溝を事前に加工しておく。これにより、前記収容溝に移動ブロック２０の基部２１ａを嵌合させるだけで、２軸の軌道レール１１の平行度を確保することが可能となる。また、前記ベース部材４を壁面３０に固定しさえすれば、壁面３０にはなんら収容溝を加工する必要がなく、実際の使用現場である室内での施工時間を最小限に抑えることが可能となる。【００４４】  尚、前述の各実施形態においては、取付板１０の裏面側に軌道レール１１を、壁面側に移動ブロックを固定した例を示したが、壁面側に軌道レールを固定し、取付板の裏面側に移動ブロツクを固���するようにしても良い。
【図１】
0004675239.tif 000002
【図２】
0004675239.tif 000003
【図３】
0004675239.tif 000004
【図４】
0004675239.tif 000005
【図５】
0004675239.tif 000006
【図６】
0004675239.tif 000007
【図７】
0004675239.tif 000008
【図８】
0004675239.tif 000009
【図９】
0004675239.tif 000010